(57)【要約】      （修正有）【課題】吸汗防菌機能を有する衛生バンドの構造の提供。【解決手段】衛生バンドは主に順を追って、外面層１と、高分子吸収層２と、外面層１とを組み合わせてなる。外面層１の縁部は高分子吸収層２より高く突き出していて、かつ２つの外面層１の接合場所に結合部１２を設け、外面層１はポリエステルからなるフィルムであり、複数のとおり穴１１を有し、高分子吸収層２は無織布と高吸水性樹脂とを混合した複合部材である。前述構造により、外面層１の複数のとおり穴１１が透過性を有しており、高分子吸収層は外部の水気吸収できる。本衛生バンドを足指の間に巻きつけて、テープで衛生バンドの両端を繋いでおけば、足部５本の足指を合わさずに分けることができ、足指の間に吸汗防菌の効果を提供できる。【選択図】図２
0003201817.tif 000002
【実用新案登録請求の範囲】
【請求項１】
吸汗防菌機能を有する衛生バンドの構造であって、
前記衛生バンドは主に順を追って、外面層と、高分子吸収層と、前記外面層とを組み合わせてなる、
前記外面層の縁部は前記高分子吸収層から高く突き出していて、かつ前記２つの外面層の接合場所に結合部を設け、前記外面層はプリエステルからなるフィルムであり、前記外面層は複数のとおり穴を有し、前記高分子吸収層は無織布と高吸水性樹脂とを混合した複合部材であり、前述構造により、前記外面層の前記複数のとおり穴が透過性を有するため、前記高分子吸収層は外部の水気吸収できる。
【請求項２】
そのうち、前記衛生バンドの両端はさらにテープと組み付けて接続することを特徴とする、請求項１記載の吸汗防菌機能を有する衛生バンドの構造。
【請求項３】
そのうち、前記外面層端部はさらに接着剤部を設けることを特徴とする、請求項１記載の吸汗防菌機能を有する衛生バンドの構造。
【考案の詳細な説明】
【技術分野】
【０００１】
本考案は一種の個人衛生用品に関し、特に一種の吸汗防菌機能を有する衛生バンドの構造に関する。
【背景技術】
【０００２】
我々は一般として、靴を履く前に靴下をまず履く。靴下は多くの機能を有しており、靴下によって、靴の内部にすべり止めを果たせる。天気の寒さや暑さに従って、靴下の厚みを選択して、保温効果を提供する。さらに、靴下は基本な吸汗機能を提供できる。靴下または靴の形状や構造にかかわらず、足部５本の足指を緊密に合わされる。
【考案の概要】
【考案が解決しようとする課題】
【０００３】
しかし、足部は人間の体に汗が一番多く出る場所の一つであり、足部５本の足指を長時間に包まれていると、足部５本の足指の換気性が悪く、さらに互いに接触していて、靴下が足指の間に入って水気を吸収することはできないことから、５本の足指の間の湿気が多く、匂いや悪臭を発生するばかりでなく、細菌が生えてしまい、一方、黴菌は湿気と空気によって成長の栄養分を提供される。そのため、水虫は特に足指の間に発症される。
【０００４】
水虫の治療は基本的に医師の指示に従って治療を受けるが、もっとも重要なのは、やはり足部を乾燥に維持すること、特に足部５本の足指の間に乾燥状態を維持できなければ、細菌はまた繁殖して疾病が再発される。前述した課題の解決は当業者が改善を急いでいるが、長い期間以来比較的に良い解決法案は見出すことはできない。本考案人はこの課題について、長年に注目し、かつ研究と改良を繰り返した結果、本考案の吸汗防菌機能を有する衛生バンドの構造を考案した次第である。
【課題を解決するための手段】
【０００５】
本考案の目的は、前述欠点を解決すべく吸汗防菌機能を有する衛生バンドの構造を提供する。
【０００６】
本考案より吸汗防菌機能を有する衛生バンドの構造を提供する。衛生バンドは主に順を追って、外面層と、高分子吸収層と、外面層とを組み合わせてなる。外面層の縁部は高分子吸収層より高く突き出していて、かつ２つの外面層の接合場所に結合部を設け、外面層はポリエステルからなるフィルムであり、外面層は複数のとおり穴を有し、高分子吸収層は無織布と高吸水性樹脂とを混合した複合部材である。前述構造により、外面層の複数のとおり穴が透過性を有しており、高分子吸収層は外部の水気吸収できる。本考案を足指の間を巻きつけ、テープで衛生バンドの両端を繋いでおけば、足部５本の足指を合わさずに分けることができ、足指の間に吸汗防菌の効果を提供できる。
【考案の効果】
【０００７】
前述構造によれば、使用者が歩くときに、足部５本の足指は緊密に合わされることなく、衛生バンドによって分離し隙間を形成する。衛生バンドは足部５本の足指の間の湿気を速やかに吸収できるほか、足部５本の足指の間隙間によって換気効果が提供される。以上をまとめると、本考案によれば、使用者に足部５本の足指を確実に分離した上、吸汗防菌の衛生バンドの構造を提供できる。使用の利便性があり、使い捨ての衛生用品である。
【図面の簡単な説明】
【０００８】
【図１】本考案の立面分解概略図である。
【図２】本考案の断面態様図である。
【図３】本発明の実施例の概略図（その１）である。
【図４】本発明の実施例の概略図（その２）である。
【図５】本発明の実施例の概略図（その３）である。
【図６】本発明のもう一つの実施例の概略図（その１）である。
【図７】本発明のもう一つの実施例の概略図（その２）である。
【図８】本発明のもう一つの実施例の概略図（その３）である。
【考案を実施するための形態】
【０００９】
以下に図面を参照しながら本考案を実施するための最良の形態について詳細に説明する。
【実施例１】
【００１０】
図１ないし図５を参照する。本考案より吸汗防菌機能を有する衛生バンドの構造を提供する。衛生バンドＡは主に順を追って、外面層１と、高分子吸収層２と、外面層１とを組み合わせてなる。外面層１の縁部は高分子吸収層２より高く突き出していて、かつ２つの外面層１の接合場所に結合部１２を設け、外面層１はポリエステルからなるフィルムであり、外面層１は複数のとおり穴１１を有し、高分子吸収層２は無織布と高吸水性樹脂とを混合した複合部材である。前述構造により、外面層１の複数のとおり穴１１が透過性を有するため、高分子吸収層２は外部の水気吸収できる。本考案を足指４の間を巻きつけ、足部５本の足指４を合わさずに分離させて、足指４の間に吸汗防菌の効果を提供できる。
【００１１】
さらに、衛生バンドＡを足部５本の足指４の間に巻きつけた上、衛生バンドＡの両端にテープ３を用いて貼り付けることによって、衛生バンドＡを足部の足指４に係合して置き、歩くときの足部摩擦により脱落することはない。衛生バンドＡは使い捨て式の衛生用品であり、使用後にはテープ３を剥がせば、衛生バンドＡを剥がすことができる。使用者のニーズに合わせて、有効に清掃することができ、衛生バンドＡの繰り返し使用はなく、繰り返し感染の恐れはない。そのうち、係るテープ３はマスキングテープであり、耐高温、化学溶剤耐性が良く、高接着力、柔らかく、なめらかであり、剥がした後に接着剤を残さない等の特性を有する。結合部１２の結合方式は熱による加圧方式を使用する。
【００１２】
図６ないし図８、本考案のもう一つの実施例を参照する。外面層１の端部は接着剤部１３をさらに設け、係る接着剤部１３によって、衛生バンドＡの一端を衛生バンドＡのもう一端に貼り付ければ、同じく衛生バンドＡを足部の足指４の間に挟み込んで置き、歩くとき足部の摩擦によって脱落することはない。使用者に足部の足指４の間の清潔を維持できる。
【００１３】
以上に取り挙げた実施例は、本考案の原理と効果を説明するものであり、これをもって本考案を制限するものではない。よって、当業者が前述実施例に基づいた修正と変化はなお本考案の精神に含むものとする。本考案は産業上利用性、新規性及び利便性を備えており、実用新案の要件に合致しており、よって、法により出願する。
【符号の説明】
【００１４】
Ａ  衛生バンド
１  外面層
１１  とおり穴
１２  結合部
１３  接着剤部
２  高分子吸収層
３  テープ
４  足指
【図１】
0003201817.tif 000003
【図２】
0003201817.tif 000004
【図３】
0003201817.tif 000005
【図４】
0003201817.tif 000006
【図５】
0003201817.tif 000007
【図６】
0003201817.tif 000008
【図７】
0003201817.tif 000009
【図８】
0003201817.tif 000010
【手続補正書】
【提出日】平成27年10月28日(2015.10.28)
【手続補正１】
【補正対象書類名】実用新案登録請求の範囲
【補正対象項目名】全文
【補正方法】変更
【補正の内容】
【実用新案登録請求の範囲】
【請求項１】
吸汗防菌機能を有する衛生バンドの構造であって、
前記衛生バンドは主に順を追って、外面層と、高分子吸収層と、前記外面層とを組み合わせてなる、
前記外面層の縁部は前記高分子吸収層から高く突き出していて、かつ前記２つの外面層の接合場所に結合部を設け、前記外面層はプリエステルからなるフィルムであり、前記外面層は複数のとおり穴を有し、前記高分子吸収層は無織布と高吸水性樹脂とを混合した複合部材であり、前述構造により、前記外面層の前記複数のとおり穴が透過性を有するため、前記高分子吸収層は外部の水気吸収できる衛生バンドの構造。
【請求項２】
前記衛生バンドの両端はさらにテープと組み付けて接続することを特徴とする、請求項１記載の吸汗防菌機能を有する衛生バンドの構造。
【請求項３】
前記外面層端部はさらに接着剤部を設けることを特徴とする、請求項１記載の吸汗防菌機能を有する衛生バンドの構造。